【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  上部胃腸管への選択された量のニコチンの投与により、ニコチンをヒトに与える方法であって、
（ａ）治療上有効な量のニコチンを含み、酸性のpＨを有して、ヒトの上部胃腸管への導入に適応する、嗜好的に満足できる溶液を与え；
（ｂ）ニコチンをヒトの代謝へ導入するために、そのニコチン溶液をヒトの上部胃腸管に投与し；そして
（ｃ）ニコチンがヒトにおいてニコチンの選択された血中レベルに達するよう、肝臓の門脈移行をバイパスした後、選択された量のニコチンをヒトの代謝へ投与するために、（ｂ）を定期的に繰り返す；
ことを含んでなる方法。
【請求項２】  pＨを約６.９未満に調節することにより、ニコチン溶液をヒトに対して嗜好的に満足できるようにする、請求項１に記載の方法。
【請求項３】  ニコチン溶液が約５.５未満のpＨを有する、請求項２に記載の方法。
【請求項４】  ニコチン溶液が約２.０〜約４.０のpＨを有する、請求項３に記載の方法。
【請求項５】  ニコチン溶液に含まれるニコチンの量が、ニコチン溶液約３００ミリリットルあたり少なくとも約０.５ミリグラムのニコチンである、請求項２に記載の方法。
【請求項６】  ニコチン溶液が、ニコチン溶液約３００ミリリットルあたり約１ミリグラム〜約４２ミリグラムのニコチンを含む、請求項５に記載の方法。
【請求項７】  ニコチンの血中レベルが、血液１ミリリットルあたり少なくとも約１.５ナノグラムのニコチンである、請求項１に記載の方法。
【請求項８】  ニコチンの血中レベルが、血液約１ミリリットルあたり約２ナノグラム〜約３５ナノグラムのニコチンである、請求項７に記載の方法。
【請求項９】  ニコチンが、レボニコチン、デキストロニコチン、およびそれらのラセミ混合物よりなる群から選択される、請求項１に記載の方法。
【請求項１０】  ニコチン溶液に香味料がさらに含まれる、請求項１に記載の方法。
【請求項１１】  香味料が、砂糖、コーヒー、ビール、ワイン、ウイスキー、フルーツジュース、牛乳、ソーダ、およびそれらの組み合わせよりなる群から選択される、請求項１０に記載の方法。
【請求項１２】  上部胃腸管への投与が、口、食道、胃、十二指腸、およびそれらの組み合わせよりなる群から選択される、上部胃腸管の一部を経るものである、請求項１に記載の方法。
【請求項１３】  ニコチン溶液を与えると、ニコチン量が治療上有効な量であり、ニコチンの十分な血中レベルに達して、症状が軽減されることにより、ヒトにおける医学的状態の症状が軽減される、請求項１に記載の方法。
【請求項１４】  医学的状態が、喫煙に対する嗜癖、注意欠陥障害、アルツハイマー病、パーキンソン病、体重を身長に対して適切なレベルに調節する能力の欠如、鬱病、潰瘍性大腸炎、およびそれらの組み合わせよりなる群から選択される、請求項１３に記載の方法。
【請求項１５】  選択された量のニコチンを嚥下することより、ニコチンをヒトに与える方法であって、
（ａ）ニコチン溶液約３００ミリリットルあたり約０.５〜約４２ミリグラムのニコチンを含んでいて、約６.９未満のpＨを有する、嗜好的に満足できる水溶液を与え；
（ｂ）ニコチンをヒトの代謝へ導入するために、その溶液を飲み；そして
（ｃ）肝臓の門脈移行をバイパスして、（ｂ）の各々の繰り返しの約３０〜約８０分以内に、ヒトにおいて血液約１ミリリットルあたり少なくとも１.５ナノグラムのニコチンの血中レベルに達するために、少なくとも１日１回は（ｂ）を定期的に繰り返す；
ことを含んでなる方法。
【請求項１６】  ニコチンをヒトに与えるための嗜好的に満足できる溶液であって、ヒトにおいてニコチンの選択された血中レベルに達するために、選択された量のニコチンを含む酸性溶液を含んでなる溶液。
【請求項１７】  ニコチン溶液が約６.９未満のpＨを有する、請求項１６に記載のニコチン溶液。
【請求項１８】  pＨが約５.５未満である、請求項１７に記載のニコチン溶液。
【請求項１９】  pＨが約２.０〜約４.０である、請求項１８に記載のニコチン溶液。
【請求項２０】  ニコチン溶液に含まれるニコチンの量が、ニコチン溶液約３００ミリリットルあたり少なくとも約０.５ミリグラムのニコチンである、請求項１６に記載のニコチン溶液。
【請求項２１】  ニコチンが、ニコチン溶液約３００ミリリットルあたり約１〜約４２ミリグラムのニコチンである、請求項２０に記載のニコチン溶液。
【請求項２２】  ニコチンが、レボニコチン、デキストロニコチン、およびそれらのラセミ混合物から選択される、請求項１６に記載のニコチン溶液。
【請求項２３】  ニコチン溶液に香味料がさらに含まれる、請求項１６に記載のニコチン溶液。
【請求項２４】  香味料が、砂糖、コーヒー、ビール、ワイン、ウイスキー、フルーツジュース、牛乳、ソーダ、およびそれらの組み合わせよりなる群から選択される、請求項２３に記載のニコチン溶液。
【請求項２５】  ニコチンおよびpＨ調節剤を含んでなり、水に可溶性であって、酸性のpＨを有する水性ニコチン溶液を形成する粉末組成物であって、その粉末を水溶液に溶解すると、嗜好的に満足できる水溶液を与え、ヒトの上部胃腸管に投与すると、ニコチンがヒトにおいてニコチンの選択された血中レベルに達するよう、肝臓の門脈移行をバイパスした後、選択された量のニコチンをヒトの代謝へ投与する粉末組成物。
【請求項２６】  ニコチン溶液を投与すると、ニコチン量が治療上有効な量であり、ニコチンの十分な血中レベルに達して、症状が軽減されることにより、ヒトにおける医学的状態の症状が軽減される、請求項２５に記載の組成物。
【請求項２７】  医学的状態が、喫煙に対する嗜癖、注意欠陥障害、アルツハイマー病、パーキンソン病、体重を身長に対して適切なレベルに調節する能力の欠如、鬱病、潰瘍性大腸炎、およびそれらの組み合わせよりなる群から選択される、請求項２６に記載の組成物。
【請求項２８】  上部胃腸管への治療上有効な量のニコチンの投与により、ヒト使用者における喫煙の頻度を減少させる方法であって、
（ａ）治療上有効な量のニコチンを含み、酸性のpＨを有して、使用者の上部胃腸管への導入に適応する、嗜好的に満足できる溶液を与え；
（ｂ）ニコチンを使用者の代謝へ導入するために、そのニコチン溶液を使用者に投与し；そして
（ｃ）使用者の喫煙に対する欲求を減少させるために、ニコチンが使用者においてニコチンの十分な血中レベルに達するよう、肝臓の門脈移行をバイパスした後、治療上有効な量のニコチンを使用者の代謝へ投与するために、（ｂ）を定期的に繰り返す；
ことを含んでなる方法。
【請求項２９】  pＨを約６.９未満に調節することにより、ニコチン溶液を使用者に対して嗜好的に満足できるようにする、請求項２８に記載の方法。
【請求項３０】  ニコチン溶液が約５.５未満のpＨを有する、請求項２９に記載の方法。
【請求項３１】  ニコチン溶液が約２.０〜約４.０のpＨを有する、請求項３０に記載の方法。
【請求項３２】  ニコチン溶液に含まれるニコチンの治療上有効な量が、ニコチン溶液約３００ミリリットルあたり少なくとも約０.５ミリグラムのニコチンである、請求項２９に記載の方法。
【請求項３３】  ニコチン溶液が、ニコチン溶液約３００ミリリットルあたり約１ミリグラム〜約４２ミリグラムのニコチンを含む、請求項３２に記載の方法。
【請求項３４】  ニコチンの血中レベルが、血液１ミリリットルあたり少なくとも約１.５ナノグラムのニコチンである、請求項２８に記載の方法。
【請求項３５】  ニコチンの血中レベルが、血液約１ミリリットルあたり約２ナノグラム〜約３５ナノグラムのニコチンである、請求項３４に記載の方法。
【請求項３６】  ニコチンが、レボニコチン、デキストロニコチン、およびそれらのラセミ混合物よりなる群から選択される、請求項２８に記載の方法。
【請求項３７】  ニコチン溶液に香味料がさらに含まれる、請求項２８に記載の方法。
【請求項３８】  香味料が、砂糖、コーヒー、ビール、ワイン、ウイスキー、フルーツジュース、牛乳、ソーダ、およびそれらの組み合わせよりなる群から選択される、請求項３７に記載の方法。
【請求項３９】  上部胃腸管への投与が、口、食道、胃、十二指腸、およびそれらの組み合わせよりなる群から選択される、上部胃腸管の一部を経るものである、請求項２８に記載の方法。
【請求項４０】  治療上有効な量のニコチンを嚥下することより、ヒト使用者における喫煙の頻度を減少させる方法であって、
（ａ）ニコチン溶液約３００ミリリットルあたり約０.５〜約４２ミリグラムのニコチンを含んでいて、約６.９未満のpＨを有する、嗜好的に満足できる水溶液を与え；
（ｂ）ニコチンを使用者の代謝へ導入するために、その溶液を飲み；そして
（ｃ）肝臓の門脈移行をバイパスして、（ｂ）の各々の繰り返しの約３０〜約８０分以内に、使用者において血液約１ミリリットルあたり少なくとも約１.５ナノグラムのニコチンの血中レベルに達するために、少なくとも１日１回は（ｂ）を定期的に繰り返す；
ことを含んでなる方法。
【請求項４１】  ヒト使用者における喫煙の頻度を減少させるための嗜好的に満足できる溶液であって、ニコチンの十分な血中レベルに達して、使用者の喫煙に対する欲求を減少させるために、治療上有効な量のニコチンを含む酸性溶液を含んでなる溶液。
【請求項４２】  ニコチン溶液が約６.９未満のpＨを有する、請求項４１に記載のニコチン溶液。
【請求項４３】  pＨが約５.５未満である、請求項４２に記載のニコチン溶液。
【請求項４４】  pＨが約２.０〜約４.０である、請求項４３に記載のニコチン溶液。
【請求項４５】  ニコチン溶液に含まれるニコチンの治療上有効な量が、ニコチン溶液約３００ミリリットルあたり少なくとも約０.５ミリグラムのニコチンである、請求項４１に記載のニコチン溶液。
【請求項４６】  ニコチンが、ニコチン溶液約３００ミリリットルあたり約１〜約４２ミリグラムのニコチンである、請求項４５に記載のニコチン溶液。
【請求項４７】  ニコチンが、レボニコチン、デキストロニコチン、およびそれらのラセミ混合物から選択される、請求項４１に記載のニコチン溶液。
【請求項４８】  ニコチン溶液に香味料がさらに含まれる、請求項４１に記載のニコチン溶液。
【請求項４９】  香味料が、砂糖、コーヒー、ビール、ワイン、ウイスキー、フルーツジュース、牛乳、ソーダ、およびそれらの組み合わせよりなる群から選択される、請求項４８に記載のニコチン溶液。
【請求項５０】  ニコチンおよびpＨ調節剤を含んでなり、水に可溶性であって、酸性のpＨを有する水性ニコチン溶液を形成する粉末組成物であって、その粉末を水溶液に溶解すると、嗜好的に満足できる水溶液を与え、喫煙するヒト使用者が飲むと、使用者の喫煙に対する欲求を減少させるために、ニコチンが使用者においてニコチンの十分な血中レベルに達するよう、肝臓の門脈移行をバイパスした後、治療上有効な量のニコチンを使用者の代謝へ投与する粉末組成物。
【請求項５１】  上部胃腸管への治療上有効な量のニコチンの投与により、ヒトにおける注意欠陥障害の症状を軽減させる方法であって、
（ａ）治療上有効な量のニコチンを含み、酸性のpＨを有して、ヒトの上部胃腸管への導入に適応する、嗜好的に満足できる溶液を与え；
（ｂ）ニコチンをヒトの代謝へ導入するために、そのニコチン溶液をヒトの上部胃腸管に投与し；そして
（ｃ）ヒトの注意欠陥障害の症状を軽減させるために、ニコチンがヒトにおいてニコチンの十分な血中レベルに達するよう、肝臓の門脈移行をバイパスした後、治療上有効な量のニコチンをヒトの代謝へ投与するために、（ｂ）を定期的に繰り返す；
ことを含んでなる方法。
【請求項５２】  pＨを約６.９未満に調節することにより、ニコチン溶液をヒトに対して嗜好的に満足できるようにする、請求項５１に記載の方法。
【請求項５３】  ニコチン溶液が約５.５未満のpＨを有する、請求項５２に記載の方法。
【請求項５４】  ニコチン溶液が約２.０〜約４.０のpＨを有する、請求項５３に記載の方法。
【請求項５５】  ニコチン溶液に含まれるニコチンの治療上有効な量が、ニコチン溶液約３００ミリリットルあたり少なくとも約０.５ミリグラムのニコチンである、請求項５２に記載の方法。
【請求項５６】  ニコチン溶液が、ニコチン溶液約３００ミリリットルあたり約１ミリグラム〜約４２ミリグラムのニコチンを含む、請求項５５に記載の方法。
【請求項５７】  ニコチンの血中レベルが、血液１ミリリットルあたり少なくとも約１.５ナノグラムのニコチンである、請求項５１に記載の方法。
【請求項５８】  ニコチンの血中レベルが、血液約１ミリリットルあたり約２ナノグラム〜約３５ナノグラムのニコチンである、請求項５７に記載の方法。
【請求項５９】  ニコチンが、レボニコチン、デキストロニコチン、およびそれらのラセミ混合物よりなる群から選択される、請求項５１に記載の方法。
【請求項６０】  ニコチン溶液に香味料がさらに含まれる、請求項５１に記載の方法。
【請求項６１】  香味料が、砂糖、コーヒー、ビール、ワイン、ウイスキー、フルーツジュース、牛乳、ソーダ、およびそれらの組み合わせよりなる群から選択される、請求項６０に記載の方法。
【請求項６２】  上部胃腸管への投与が、口、食道、胃、十二指腸、およびそれらの組み合わせよりなる群から選択される、上部胃腸管の一部を経るものである、請求項５１に記載の方法。
【請求項６３】  治療上有効な量のニコチンを嚥下することより、ヒトにおける注意欠陥障害の症状の頻度を減少させる方法であって、
（ａ）ニコチン溶液約３００ミリリットルあたり約０.５〜約４２ミリグラムのニコチンを含んでいて、約６.９未満のpＨを有する、嗜好的に満足できる水溶液を与え；
（ｂ）ニコチンをヒトの代謝へ導入するために、その溶液を飲み；そして
（ｃ）肝臓の門脈移行をバイパスして、（ｂ）の各々の繰り返しの約３０〜約８０分以内に、ヒトにおいて血液約１ミリリットルあたり少なくとも１.５ナノグラムのニコチンの血中レベルに達するために、少なくとも１日１回は（ｂ）を定期的に繰り返す；
ことを含んでなる方法。
【請求項６４】  ヒトにおける注意欠陥障害の症状の頻度を減少させるための嗜好的に満足できる溶液であって、ニコチンの十分な血中レベルに達して、ヒトの注意欠陥障害の症状を軽減させるために、治療上有効な量のニコチンを含む酸性溶液を含んでなる溶液。
【請求項６５】  ニコチン溶液が約６.９未満のpＨを有する、請求項６４に記載のニコチン溶液。
【請求項６６】  pＨが約５.５未満である、請求項６５に記載のニコチン溶液。
【請求項６７】  pＨが約２.０〜約４.０である、請求項６６に記載のニコチン溶液。
【請求項６８】  ニコチン溶液に含まれるニコチンの治療上有効な量が、ニコチン溶液約３００ミリリットルあたり少なくとも約０.５ミリグラムのニコチンである、請求項６４に記載のニコチン溶液。
【請求項６９】  ニコチンが、ニコチン溶液約３００ミリリットルあたり約１〜約４２ミリグラムのニコチンである、請求項６８に記載のニコチン溶液。
【請求項７０】  ニコチンが、レボニコチン、デキストロニコチン、およびそれらのラセミ混合物から選択される、請求項６４に記載のニコチン溶液。
【請求項７１】  ニコチン溶液に香味料がさらに含まれる、請求項６４に記載のニコチン溶液。
【請求項７２】  香味料が、砂糖、コーヒー、ビール、ワイン、ウイスキー、フルーツジュース、牛乳、ソーダ、およびそれらの組み合わせよりなる群から選択される、請求項７１に記載のニコチン溶液。
【請求項７３】  ニコチンおよびpＨ調節剤を含んでなり、水に可溶性であって、酸性のpＨを有する水性ニコチン溶液を形成する粉末組成物であって、その粉末を水溶液に溶解すると、嗜好的に満足できる水溶液を与え、注意欠陥障害を患うヒトの上部胃腸管に投与すると、ヒトの注意欠陥障害の症状を軽減させるために、ニコチンがヒトにおいてニコチンの十分な血中レベルに達するよう、肝臓の門脈移行をバイパスした後、治療上有効な量のニコチンをヒトの代謝へ投与する粉末組成物。
【請求項７４】  上部胃腸管への治療上有効な量のニコチンの投与により、ヒトにおけるアルツハイマー病の症状を軽減させる方法であって、
（ａ）治療上有効な量のニコチンを含み、酸性のpＨを有して、ヒトの上部胃腸管への導入に適応する、嗜好的に満足できる溶液を与え；
（ｂ）ニコチンをヒトの代謝へ導入するために、そのニコチン溶液をヒトの上部胃腸管に投与し；そして
（ｃ）ヒトのアルツハイマー病の症状を軽減させるために、ニコチンがヒトにおいてニコチンの十分な血中レベルに達するよう、肝臓の門脈移行をバイパスした後、治療上有効な量のニコチンをヒトの代謝へ投与するために、（ｂ）を定期的に繰り返す；
ことを含んでなる方法。
【請求項７５】  pＨを約６.９未満に調節することにより、ニコチン溶液をヒトに対して嗜好的に満足できるようにする、請求項７４に記載の方法。
【請求項７６】  ニコチン溶液が約５.５未満のpＨを有する、請求項７５に記載の方法。
【請求項７７】  ニコチン溶液が約２.０〜約４.０のpＨを有する、請求項７６に記載の方法。
【請求項７８】  ニコチン溶液に含まれるニコチンの治療上有効な量が、ニコチン溶液約３００ミリリットルあたり少なくとも約０.５ミリグラムのニコチンである、請求項７５に記載の方法。
【請求項７９】  ニコチン溶液が、ニコチン溶液約３００ミリリットルあたり約１ミリグラム〜約４２ミリグラムのニコチンを含む、請求項７８に記載の方法。
【請求項８０】  ニコチンの血中レベルが、血液１ミリリットルあたり少なくとも約１.５ナノグラムのニコチンである、請求項７４に記載の方法。
【請求項８１】  ニコチンの血中レベルが、血液約１ミリリットルあたり約２ナノグラム〜約３５ナノグラムのニコチンである、請求項８０に記載の方法。
【請求項８２】  ニコチンが、レボニコチン、デキストロニコチン、およびそれらのラセミ混合物よりなる群から選択される、請求項７４に記載の方法。
【請求項８３】  ニコチン溶液に香味料がさらに含まれる、請求項７４に記載の方法。
【請求項８４】  香味料が、砂糖、コーヒー、ビール、ワイン、ウイスキー、フルーツジュース、牛乳、ソーダ、およびそれらの組み合わせよりなる群から選択される、請求項８３に記載の方法。
【請求項８５】  上部胃腸管への投与が、口、食道、胃、十二指腸、およびそれらの組み合わせよりなる群から選択される、上部胃腸管の一部を経るものである、請求項７４に記載の方法。
【請求項８６】  治療上有効な量のニコチンを嚥下することより、ヒトにおけるアルツハイマー病の症状の頻度を減少させる方法であって、
（ａ）ニコチン溶液約３００ミリリットルあたり約０.５〜約４２ミリグラムのニコチンを含んでいて、約６.９未満のpＨを有する、嗜好的に満足できる水溶液を与え；
（ｂ）ニコチンをヒトの代謝へ導入するために、その溶液を飲み；そして
（ｃ）肝臓の門脈移行をバイパスして、（ｂ）の各々の繰り返しの約３０〜約８０分以内に、ヒトにおいて血液約１ミリリットルあたり少なくとも１.５ナノグラムのニコチンの血中レベルに達するために、少なくとも１日１回は（ｂ）を定期的に繰り返す；
ことを含んでなる方法。
【請求項８７】  ヒトにおけるアルツハイマー病の症状の頻度を減少させるための嗜好的に満足できる溶液であって、ニコチンの十分な血中レベルに達して、ヒトのアルツハイマー病の症状を軽減させるために、治療上有効な量のニコチンを含む酸性溶液を含んでなる溶液。
【請求項８８】  ニコチン溶液が約６.９未満のpＨを有する、請求項８７に記載のニコチン溶液。
【請求項８９】  pＨが約５.５未満である、請求項８８に記載のニコチン溶液。
【請求項９０】  pＨが約２.０〜約４.０である、請求項８９に記載のニコチン溶液。
【請求項９１】  ニコチン溶液に含まれるニコチンの治療上有効な量が、ニコチン溶液約３００ミリリットルあたり少なくとも約０.５ミリグラムのニコチンである、請求項８７に記載のニコチン溶液。
【請求項９２】  ニコチンが、ニコチン溶液約３００ミリリットルあたり約１〜約４２ミリグラムのニコチンである、請求項９１に記載のニコチン溶液。
【請求項９３】  ニコチンが、レボニコチン、デキストロニコチン、およびそれらのラセミ混合物から選択される、請求項８７に記載のニコチン溶液。
【請求項９４】  ニコチン溶液に香味料がさらに含まれる、請求項８７に記載のニコチン溶液。
【請求項９５】  香味料が、砂糖、コーヒー、ビール、ワイン、ウイスキー、フルーツジュース、牛乳、ソーダ、およびそれらの組み合わせよりなる群から選択される、請求項９４に記載のニコチン溶液。
【請求項９６】  ニコチンおよびpＨ調節剤を含んでなり、水に可溶性であって、酸性のpＨを有する水性ニコチン溶液を形成する粉末組成物であって、その粉末を水溶液に溶解すると、嗜好的に満足できる水溶液を与え、アルツハイマー病を患うヒトの上部胃腸管に投与すると、ヒトのアルツハイマー病の症状を軽減させるために、ニコチンがヒトにおいてニコチンの十分な血中レベルに達するよう、肝臓の門脈移行をバイパスした後、治療上有効な量のニコチンをヒトの代謝へ投与する粉末組成物。
【手続補正２】
【補正対象書類名】明細書
【補正対象項目名】００２１
【補正方法】変更
【補正の内容】
【００２１】
ニコチンの十分な血中レベルを維持して、ヒトの喫煙に対する欲求を減少させる、ヒトの注意欠陥障害の症状を軽減する、および／またはヒトのアルツハイマー病の症状を軽減するために、１日あたり少なくとも１用量(例えば、飲料)のニコチン溶液、好ましくは、ニコチン溶液を投薬するヒトが起きている時間の間、１〜２時間毎に１用量(例えば、飲料)で、投薬を繰り返すべきである。好ましくは、ニコチンの血中レベルが血液１mlあたり約３５ngのニコチンに上昇せぬよう、投薬の頻度およびニコチン溶液中のニコチン量を個々のヒトに関して調節するが、勿論、これは、喫煙に対する嗜癖、注意欠陥障害の症状、および／またはアルツハイマー病の症状により変動する。
【手続補正３】
【補正対象書類名】明細書
【補正対象項目名】００３４
【補正方法】変更
【補正の内容】
【００３４】
実施例２
２人の喫煙者であることを除き、実施例１を繰り返すのがよい。その試験の間、喫煙は許されず、またその被験者は、２４時間禁煙した後(呼気の空気一酸化炭素分析による確認)で研究室に来るであろう。
【手続補正４】
【補正対象書類名】明細書
【補正対象項目名】００３５
【補正方法】変更
【補正の内容】
【００３５】
試験の後、その被験者に、ニコチン溶液を飲んだ後に経験した、シガレットに対する彼らの切望、および他の喫煙の禁断症状を評価するよう依頼する。両方の被験者は、シガレットに対する切望、さらにはまた、禁断症状が軽減する傾向にあることを報告するであろう。
【手続補正５】
【補正対象書類名】明細書
【補正対象項目名】００３６
【補正方法】変更
【補正の内容】
【００３６】
各々が飲んだ後にまた、２人の被験者の血漿レベルをニコチン含量に関して試験し、実施例１に報告された血漿レベルと同様になるであろう。
【手続補正６】
【補正対象書類名】明細書
【補正対象項目名】００３７
【補正方法】変更
【補正の内容】
【００３７】
実施例３
注意欠陥障害を患う２人のヒトであることを除き、実施例１を繰り返すのがよい。その試験の間、喫煙は許されず、またその被験者が喫煙者であるならば、タバコ製品を喫煙する際のニコチンによってではなく、溶液中のニコチンにより、ニコチン効果を確実なものとするために、彼らは、２４時間禁煙した後(呼気の空気一酸化炭素分析による確認)で研究室に来るであろう。
【手続補正７】
【補正対象書類名】明細書
【補正対象項目名】００３８
【補正方法】変更
【補正の内容】
【００３８】
試験の後、その被験者に、ニコチン溶液を飲んだ後に経験した、彼らの注意欠陥障害の症状を評価するよう依頼する。両方の被験者は、その症状が軽減する傾向にあることを報告するであろう。
【手続補正８】
【補正対象書類名】明細書
【補正対象項目名】００３９
【補正方法】変更
【補正の内容】
【００３９】
各々が飲んだ後にまた、２人の被験者の血漿レベルをニコチン含量に関して試験し、実施例１に報告された血漿レベルと同様になるであろう。
【手続補正９】
【補正対象書類名】明細書
【補正対象項目名】００４０
【補正方法】変更
【補正の内容】
【００４０】
実施例４
アルツハイマー病を患う２人のヒトであることを除き、実施例１を繰り返すのがよい。その試験の間、喫煙は許されず、またその被験者が喫煙者であるならば、タバコ製品を喫煙する際のニコチンによってではなく、溶液中のニコチンにより、ニコチン効果を確実なものとするために、彼らは、２４時間禁煙した後(呼気の空気一酸化炭素分析による確認)で研究室に来るであろう。
【手続補正１０】
【補正対象書類名】明細書
【補正対象項目名】００４１
【補正方法】変更
【補正の内容】
【００４１】
試験の後、その被験者に、ニコチン溶液を飲んだ後に経験した、彼らのアルツハイマー病の症状を評価するよう依頼する。両方の被験者は、その症状が軽減する傾向にあることを報告するであろう。
【手続補正１１】
【補正対象書類名】明細書
【補正対象項目名】００４２
【補正方法】変更
【補正の内容】
【００４２】
各々が飲んだ後にまた、２人の被験者の血漿レベルをニコチン含量に関して試験し、実施例１に報告された血漿レベルと同様になるであろう。